(57)【要約】【課題】床盤が水平に置かれていなくても、それを基準に手摺りの支柱を垂直に保持できるために、手摺りの正確な取り付け状態が得られるコンクリート床盤用の手摺り取付け治具を提供する。【解決手段】コンクリート床盤の左右両端に組み付けられる一対の基準フレームと、基準フレームに具備されるねじの倍力による前後一対の水平保持クランプおよび上下一対の垂直保持クランプとからなり、基準フレームが、床盤の下面と側面に当接する断面の下部横尺材と、下部横尺材に対して垂直に固定され断面の一片が手摺りに面する上部縦尺材との組合せからなり、水平保持クランプが下部横尺材の一片を床盤の下面に締め付け、垂直保持クランプが、上部縦尺材の一片に手摺りの上下横材をそれぞれ挟み付ける。【選択図】    図１
2004308190.tif 000002
【特許請求の範囲】
【請求項１】
コンクリート床盤の左右両端に組み付けられる一対の基準フレームと、基準フレームに具備されるねじの倍力による前後一対の水平保持クランプおよび上下一対の垂直保持クランプとからなり、基準フレームが、床盤の下面と側面に当接する断面の下部横尺材と、下部横尺材に対して垂直に固定され断面の一片が手摺りに面する上部縦尺材との組合せからなり、水平保持クランプが下部横尺材の一片を床盤の下面に締め付け、垂直保持クランプが、上部縦尺材の一片に手摺りの上下横材をそれぞれ挟み付けるように構成したことを特徴とするコンクリート床盤用の手摺り取付け治具。
【発明の詳細な説明】
【０００１】
【発明の属する技術分野】
この発明は、ベランダやバルコニー等の床盤をＰＣ（プレキャストコンクリート）等によって成形して現場に持ち込んで施工する場合、その床盤に手摺りを取り付けるときにそれを垂直に保持するために使用するコンクリート床盤用の手摺り取付け治具に関する。
【０００２】
【従来の技術】
従来は、ＰＣ板等を吊り上げ、建物にセットしてから、手摺りを固定することが多かった。ＰＣ板等の床盤に対して手摺りを取り付けるには、床盤を成形するときに手摺りの支柱を立てる箇所に凹部や切欠を設けておいて、凹部や切欠にモルタルや樹脂を充填して支柱の下端部が固められる。
【０００３】
【発明が解決しようとする課題】
手摺りの支柱は、床盤に対して垂直に取り付けられその正確性が要求される。この点について、ベランダ等の実際の建築現場で支柱を取り付けるときには、目測により或いは垂直器等を使って支柱の垂直を得ることは余り困難ではないが、特に、建築現場近くの屋外等においては、必ずしも水平に置かれているとは限らない床盤それ自体を基準とする必要があるために、垂直状態を得ることは非常に困難であった。
【０００４】
この発明は、上記のような実情に鑑みて、床盤が水平に置かれていなくても、それを基準に手摺りの支柱を垂直に保持できるために、手摺りの正確な取り付け状態が得られるコンクリート床盤用の手摺り取付け治具を提供することを目的とした。
【０００５】
【課題を解決するための手段】
上記の目的を達成するために、この発明は、コンクリート床盤の左右両端に組み付けられる一対の基準フレームと、基準フレームに具備されるねじの倍力による前後一対の水平保持クランプおよび上下一対の垂直保持クランプとからなり、基準フレームが、床盤の下面と側面に当接する断面の下部横尺材と、下部横尺材に対して垂直に固定され断面の一片が手摺りに面する上部縦尺材との組合せからなり、水平保持クランプが下部横尺材の一片を床盤の下面に締め付け、垂直保持クランプが、上部縦尺材の一片に手摺りの上下横材をそれぞれ挟み付けるように構成したことを特徴とするコンクリート床盤用の手摺り取付け治具を提供するものである。
【０００６】
コンクリート床盤用の手摺り取付け治具を上記のように構成したから、床盤に基準フレームを組み付けてその一片を下面に当てると、床盤に対して上部縦尺材が垂直になるので、垂直の上部縦尺材に手摺りが垂直に沿うように、上下横材が上部縦尺材に共に当接する時点を、基準フレームについては前後位置において、手摺りにおいて角度についてそれぞれ見つけ出し、その時点をとらえて、床盤に対して基準フレームを、その上部縦尺材に対して上下横材をそれぞれ固定する。
【０００７】
床盤に対する基準フレームの組み付けおよび固定には水平保持クランプを使用し、この際には、クランプが下部横尺材の一片と共に床盤を挟み付ける。一方、上部縦尺材に対する上下横材の当接および固定には垂直保持クランプを使用し、この時には、クランプで横材を上部縦尺材の一片と共に挟み付ける。そして、最終的に固定が終了すると、手摺りの支柱の下端部をモルタルや樹脂等で固めてから、取付け治具を取り外す。なお、このような操作は基本であって、基準フレームの位置決めについては、床盤に印等を付けておけば良い。つまり、こうすれば、印を基準に水平保持クランプによる固定を直ぐになして、即座に垂直保持クランプによる固定に取り掛かり得るので好都合である。
【０００８】
クランプの構造は特に限定するものではないが、水平保持クランプおよび垂直保持クランプについては、相互に螺合する雄ねじと雌ねじとのうち、雄ねじの先端に表盤を、基端にハンドルをそれぞれ設け、雌ねじに支持杆を介して連結片を一体に設け、連結片に先端部が屈折するＬ字型の迂回アームを取り付け、迂回アームの先端に表盤と対向する裏盤を取り付けたものでると、使いやすい等の点で目的の達成により有効である。
【０００９】
【発明の実施の形態】
次に、この発明の実施の形態を図面に基づいて説明する。
【００１０】
図面は一実施の形態を示したもので、そのコンクリート床盤用の手摺り取付け治具Ｈは、床盤Ｆの両端に組み付けられる左右一対の基準フレーム１，１と、各基準フレーム１に装着される前後一対の水平保持クランプ３，３および上下一対の垂直保持クランプ５，５とからなる。
【００１１】
基準フレーム１，１は、下部横尺材７にその上方において上部縦尺材９を直角位置に対応させたもので、その間に斜めに支持部材８を介在させ、支持部材８に補助部材８ａが添えられ、それぞれの部材には断面において２片が交わるＬ字型のアングルが用いられ、ネジで止めて組み立てられる。そして、下部横尺材７ではアングルのＬ字型の一片１３が内側突の向きであり、上部縦尺材９ではその一片１５が手摺りＲに面するよう外側突の向きとなっている。
【００１２】
各クランプ３，５は、相互に螺合する雄ねじ１７と雌ねじ１９との締めつけにより対象物を裏盤２１と表盤２３とにより挟み付けるようにしたもので、雄ねじ１７の先端に表盤２３を回転可能に、基端にハンドル２５を固定してそれぞれ取り付けてある。また、雄ねじ１７と平行な迂回アーム２７の先端が迂回のためにＬ字型に屈折され、その先端に裏盤２１が取り付けられる。
【００１３】
迂回アーム２７は、雌ねじ１９と一体の連結片３１に嵌入されており、支持杆２９を介在させてその一体化がなされている。このような組立て構造であるので、雄ねじ１７をハンドル２５で回転すると、迂回アーム２７が前後動するので、表盤２３と裏盤２１との間の寸法が拡縮する。また、迂回アーム２７が連結片３１にスライド可能に嵌入しているので、組み立てられている部品相互の位置関係は、そのスライド調整により変え得る。
【００１４】
床盤Ｆは、多数の鋼線（図示省略）を筋入りさせてコンクリートで成形したＰＣ板であって、前端に畦状に凸縁部３６が形成され、床面は現場に据え付け後に仕上げられるように、仕上げ箇所が低く薄肉に形成され上面に鉄筋の一部が露出している。
【００１５】
図１および図２は、取付け治具Ｈでこの床盤Ｆに手摺りＲを仮止めし固定した状態を示したもので、床盤Ｆの両端に基準フレーム１，１を組み付け、手摺りＲが垂直に保持されている。
【００１６】
基準フレーム１，１の組み付け、及び仮固定については、その下部横尺材７を床盤Ｆの端面に当て、床盤Ｆの下面に差し入れた一片１３を床盤Ｆに水平保持クランプ３，３で締め付ける。そうすると、床盤Ｆの下面が基準となって上部縦尺材９が垂直となる。また、上部縦尺材９に対する上下横材３５，３５の当接および固定については、垂直保持クランプ５，５で上部縦尺材９の一片１５に横材３５，３５を挟んで締め付けられる。これで手摺りＲが垂直に固定されるので、この状態で支柱３７の下端をモルタルや硬化性樹脂の充填等の手法により固定する。
【００１７】
【発明の効果】
以上説明したように、この発明のコンクリート床盤用の手摺り取付け治具によれば、床盤が水平に置かれていなくても、それを基準に手摺りの支柱を垂直に保持できるために、場所の如何に係わらず、手摺りを垂直に正しく取り付けることができ、その作業能率を向上させ得るという優れた効果がある。
【図面の簡単な説明】
【図１】この発明の一実施の形態においてそのコンクリート床盤用の手摺り取付け治具の使用状態を示す側面図である。
【図２】図１のＡ−Ａ線矢視の拡大断面図である。
【図３】垂直保持クランプにより上部縦尺材に手摺りの横材を挟み付ける要領を示す斜視図である。
【符号の説明】
Ｆ  床盤
Ｈ  コンクリート床盤用の手摺り取付け治具
Ｒ  手摺り
１  基準フレーム
３  水平保持クランプ
５  垂直保持クランプ
７  下部横尺材
９  上部縦尺材
１３  下部横尺材の一片
１５  上部縦尺材の一片
１７  雄ねじ
１９  雌ねじ
２１  裏盤
２３  表盤
２５  ハンドル
２７  迂回アーム
２９  支持杆
３１  連結片
３５  横材
３７  支柱
【図１】
2004308190.tif 000003
【図２】
2004308190.tif 000004
【図３】
2004308190.tif 000005